(57)【要約】【課題】  ユーザが移動機に対してメール情報を改めて要求しなくても、移動機から外部端末にメール情報を自動的に送信することが可能なメール送信方法、このメール送信方法に用いて好適な移動機及び端末を提供する。【解決手段】  移動機１０が、第１の音声チャネル及び第２の音声チャネルの設定中に、データチャネルを通じてメールを受信するステップと、移動機１０が、データチャネルを通じてメールを受信したことを示すメール受信通知を、制御チャネルを通じて外部端末２０に送信するステップと、外部端末２０が、メール受信通知に応じて、メール情報を移動機１０に要求するステップと、移動機１０が、第１の音声チャネル及び第２の音声チャネルの設定が終了した際に、制御チャネルを通じてメール情報を外部端末２０に送信するステップとを含む。【選択図】  図５
2006295639.tif 000002
【特許請求の範囲】
【請求項１】
ネットワーク側との間で、音声情報を送受信するための第１の音声チャネル及びメールを送受信するためのデータチャネルを設定可能な移動機であって、
近距離通信網を通じて接続される外部端末との間で、前記音声情報を送受信するための第２の音声チャネルを設定する音声チャネル設定部と、
前記外部端末との間で、前記第１の音声チャネル及び前記第２の音声チャネルを設定するために用いる制御情報を送受信するための制御チャネルを設定する制御チャネル設定部と、
前記制御チャネルを通じて送受信される前記制御情報に基づいて、前記第１の音声チャネル及び前記第２の音声チャネルの設定状況を監視する監視部と、
前記第１の音声チャネル及び前記第２の音声チャネルの設定中に、前記データチャネルを通じて受信した前記メールを記憶する記憶部と、
前記第１の音声チャネル及び前記第２の音声チャネルの設定が終了したことを前記監視部が検出した際に、前記記憶部に記憶されている前記メールに係るメール情報を、前記制御チャネルを通じて前記外部端末に送信する送信部とを具備することを特徴とする移動機。
【請求項２】
前記送信部は、前記第１の音声チャネル及び前記第２の音声チャネルの設定中に、前記データチャネルを通じて前記メールを受信した場合に、該メールを送信することができないことを示すエラー情報を、前記制御チャネルを通じて前記外部端末に送信することを特徴とする請求項１に記載の移動機。
【請求項３】
前記送信部は、前記記憶部に記憶されている前記メールのリストを前記メール情報として送信することを特徴とする請求項１又は請求項２に記載の移動機。
【請求項４】
前記記憶部に記憶されている前記メールを前記外部端末に送信するか否か判定する判定部を具備し、
前記送信部は、前記記憶部に記憶されている前記メールのうち、前記判定部によって前記外部端末に送信すると判定された前記メールのみを前記外部端末に送信することを特徴とする請求項１乃至請求項３のいずれかに記載の移動機。
【請求項５】
音声情報を送受信するための第１の音声チャネル及びメールを送受信するためのデータチャネルをネットワーク側との間で設定可能な移動機と、近距離通信網を通じて接続される外部端末であって、
前記音声情報を送受信するための第２の音声チャネルを前記移動機との間で設定する音声チャネル設定部と、
前記第１の音声チャネル及び前記第２の音声チャネルを設定するために用いる制御情報を送受信するための制御チャネルを前記移動機との間で設定する制御チャネル設定部と、
前記制御チャネルを通じて送受信される前記制御情報に基づいて、前記第１の音声チャネル及び前記第２の音声チャネルの設定状況を監視する監視部と、
前記第１の音声チャネル及び前記第２の音声チャネルの設定が終了したことを前記監視部が検出した際に、前記移動機が前記ネットワーク側から受信した前記メールに係るメール情報の送信要求を、前記制御チャネルを通じて前記移動機に送信する送信部とを具備することを特徴とする外部端末。
【請求項６】
前記送信部は、前記メールのリストの送信要求を前記メール情報の送信要求として前記移動機に送信することを特徴とする請求項５に記載の外部端末。
【請求項７】
音声情報を送受信するための第１の音声チャネル及びメールを送受信するためのデータチャネルをネットワーク側との間で設定可能な移動機と、近距離通信網を通じて前記移動機に接続され、前記音声情報を送受信するための第２の音声チャネル、前記第１の音声チャネル及び前記第２の音声チャネルを設定するために用いる制御情報を送受信するための制御チャネルを前記移動機との間で設定可能な外部端末とによって構成された通信システムにおいて、前記メールに係るメール情報を前記移動機が前記外部端末に送信するメール送信方法であって、
前記移動機が、前記第１の音声チャネル及び前記第２の音声チャネルの設定中に、前記データチャネルを通じて前記メールを受信するステップと、
前記移動機が、前記データチャネルを通じて前記メールを受信したことを示すメール受信通知を、前記制御チャネルを通じて前記外部端末に送信するステップと、
前記外部端末が、前記メール受信通知に応じて、前記メール情報を前記移動機に要求するステップと、
前記移動機が、前記第１の音声チャネル及び前記第２の音声チャネルの設定が終了した際に、前記制御チャネルを通じて前記メール情報を前記外部端末に送信するステップとを含むことを特徴とするメール送信方法。
【発明の詳細な説明】
【技術分野】
【０００１】
ネットワーク側との間で、音声情報を送受信するための第１の音声チャネル及びメールを送受信するためのデータチャネルを設定可能な移動機、この移動機との間で、音声情報を送受信するための第２の音声チャネル及び制御情報を送受信するための制御チャネルを設定可能な外部端末、及び、この移動機及び外部端末を用いたメール送信方法に関する。
【背景技術】
【０００２】
従来、ネットワーク側との間で、音声情報を送受信するための第１の音声チャネル、第１の音声チャネルを設定するために用いる第１の制御情報を送受信するための第１の制御チャネル、及び、メールを送受信するためのデータチャネルを設定可能な移動機が知られている（例えば、特許文献１）。
【０００３】
また、近距離通信網（例えば、ブルートゥース網）を通じて、外部端末（パーソナルコンピュータやカーナビゲーションシステム等）と接続可能な移動機が知られている（例えば、特許文献２）。この移動機は、外部端末との間で、音声情報を送受信するための第２の音声チャネル、第１の音声チャネル及び第２の音声チャネルを設定するために用いる第２の制御情報を送受信するための第２の制御チャネルを設定する。
【０００４】
ここで、上述した移動機は、第２の制御情報を送受信するための第２の制御チャネルを通じて、ネットワーク側から受信したメールに係るメール情報（メールの内容やメールリスト）を外部端末に送信するとともに、ネットワーク側に送信するメールを外部端末から受信する。
【０００５】
なお、外部端末は、マイク等によって該外部端末に入力された音声情報を符号化するとともに、符号化された音声情報を第２の音声チャネルを通じて移動機に送信し、キーボード等によって該外部端末に入力されたメールを符号化するとともに、符号化されたメールを第２の制御チャネルを通じて移動機に送信する。
【０００６】
また、外部端末は、第２の音声チャネルを通じて移動機から受信した音声情報を復号化するとともに、復号化された音声情報をスピーカから出力し、第２の制御チャネルを通じて移動機から受信したメール情報を復号化するとともに、復号化されたメール情報を表示装置に出力する。
【０００７】
なお、上述した移動機は、時分割多重方式（ＴＤＭ）や周波数分割多重方式（ＦＤＭ）等を用いて、第２の音声チャネル及び第２の制御チャネルを同時に設定する。
【特許文献１】特開２００３−１２５４５１号公報
【特許文献２】特開２００３−２８３６９３号公報
【発明の開示】
【発明が解決しようとする課題】
【０００８】
しかしながら、上述した音声チャネル（第１の音声チャネル及び第２の音声チャネル）の設定中において、第２の制御チャネルは、制御情報を送受信するために用いられる。
【０００９】
このため、上述した移動機は、音声チャネルの設定中に、メール情報を外部端末に送信することができない。
【００１０】
従って、ユーザは、音声チャネルの設定が終了した後に、移動機に対してメール情報を改めて要求しなければならなかった。
【００１１】
そこで、本発明は、上述した課題を解決するためになされたものであり、音声チャネルの設定が終了した後に、ユーザが移動機に対してメール情報を改めて要求しなくても、移動機から外部端末にメール情報を自動的に送信することが可能なメール送信方法、このメール送信方法に用いて好適な移動機及び外部端末を提供することを目的とする。
【課題を解決するための手段】
【００１２】
本発明の第１の特徴は、ネットワーク側との間で、音声情報を送受信するための第１の音声チャネル及びメールを送受信するためのデータチャネルを設定可能な移動機が、近距離通信網を通じて接続される外部端末との間で、音声情報を送受信するための第２の音声チャネルを設定する音声チャネル設定部と、外部端末との間で、第１の音声チャネル及び第２の音声チャネルを設定するために用いる制御情報を送受信するための制御チャネルを設定する制御チャネル設定部と、制御チャネルを通じて送受信される制御情報に基づいて、第１の音声チャネル及び第２の音声チャネルの設定状況を監視する監視部と、第１の音声チャネル及び第２の音声チャネルの設定中に、データチャネルを通じて受信したメールを記憶する記憶部と、第１の音声チャネル及び第２の音声チャネルの設定が終了したことを監視部が検出した際に、記憶部に記憶されているメールに係るメール情報を、制御チャネルを通じて外部端末に送信する送信部とを具備することを要旨とする。
【００１３】
かかる特徴によれば、移動機は、第１の音声チャネル及び第２の音声チャネルの設定状況を監視することにより、２つの音声チャネルの設定中に受信したメールに係るメール情報（メールリストやメールの内容）をユーザが改めて要求しなくても、メール情報を外部端末に自動的に送信することができる。
【００１４】
本発明の第１の特徴において、送信部は、第１の音声チャネル及び第２の音声チャネルの設定中に、データチャネルを通じてメールを受信した場合に、該メールを送信することができないことを示すエラー情報を、制御チャネルを通じて外部端末に送信することが好ましい。
【００１５】
本発明の第１の特徴において、送信部は、記憶部に記憶されているメールのリストをメール情報として外部端末に送信することが好ましい。
【００１６】
本発明の第１の特徴において、移動機は、記憶部に記憶されているメールを外部端末に送信するか否か判定する判定部を具備し、送信部は、記憶部に記憶されているメールのうち、判定部によって外部端末に送信すると判定されたメールのみを外部端末に送信することが好ましい。
【００１７】
本発明の第２の特徴は、音声情報を送受信するための第１の音声チャネル及びメールを送受信するためのデータチャネルをネットワーク側との間で設定可能な移動機と、近距離通信網を通じて接続される外部端末が、音声情報を送受信するための第２の音声チャネルを移動機との間で設定する音声チャネル設定部と、第１の音声チャネル及び第２の音声チャネルを設定するために用いる制御情報を送受信するための制御チャネルを移動機との間で設定する制御チャネル設定部と、制御チャネルを通じて送受信される制御情報に基づいて、第１の音声チャネル及び第２の音声チャネルの設定状況を監視する監視部と、第１の音声チャネル及び第２の音声チャネルの設定が終了したことを監視部が検出した際に、移動機がネットワーク側から受信したメールに係るメール情報の送信要求を、制御チャネルを通じて移動機に送信する送信部とを具備することを要旨とする。
【００１８】
かかる特徴によれば、外部端末は、第１の音声チャネル及び第２の音声チャネルの設定が終了したことを検出した際に、移動機が受信したメールに係るメール情報の送信要求を自動的に移動機に送信することにより、２つの音声チャネルの設定中に移動機が受信したメールに係るメール情報（メールリストやメールの内容）をユーザが改めて要求しなくても、メール情報を移動機から自動的に受信することができる。
【００１９】
本発明の第２の特徴において、送信部は、メールのリストの送信要求をメール情報の送信要求として移動機に送信することが好ましい。
【００２０】
本発明の第３の特徴は、音声情報を送受信するための第１の音声チャネル及びメールを送受信するためのデータチャネルをネットワーク側との間で設定可能な移動機と、近距離通信網を通じて移動機に接続され、音声情報を送受信するための第２の音声チャネル及び第１の音声チャネルと第２の音声チャネルとを設定するために用いる制御情報を送受信するための制御チャネルを移動機との間で設定可能な外部端末とによって構成される通信システムにおいて、メールに係るメール情報を移動機が外部端末に送信するメール送信方法が、移動機が、第１の音声チャネル及び第２の音声チャネルの設定中に、データチャネルを通じてメールを受信するステップと、移動機が、データチャネルを通じてメールを受信したことを示すメール受信通知を、制御チャネルを通じて外部端末に送信するステップと、外部端末が、メール受信通知に応じて、メール情報を移動機に要求するステップと、移動機が、第１の音声チャネル及び第２の音声チャネルの設定が終了した際に、制御チャネルを通じてメール情報を外部端末に送信するステップとを含むことを要旨とする。
【発明の効果】
【００２１】
本発明によれば、ユーザが移動機に対してメール情報を改めて要求しなくても、移動機から外部端末にメール情報を自動的に送信することが可能なメール送信方法、このメール送信方法に用いて好適な移動機及び外部端末を提供することができる。
【発明を実施するための最良の形態】
【００２２】
（本発明の一実施形態に係る通信システムの構成）
以下、本発明の一実施形態に係る通信システムの構成について説明する。図１は、本発明の一実施形態に係る通信システムの構成を示す図である。
【００２３】
図１に示すように、本発明の一実施形態に係る通信システムは、移動機１０と、移動機１０と近距離通信網（例えば、ブルートゥース網）を介して接続可能な外部端末２０と、移動機１０とネットワーク８０を介して接続可能な端末（音声通話端末２００及びメール送信端末３００）とによって構成されている。
【００２４】
移動機１０は、ネットワーク８０を介して接続された音声通話端末２００との間で音声情報を送受信するとともに、ネットワーク８０を介して接続されたメール送信端末３００との間でメールを送受信する。
【００２５】
具体的には、移動機１０は、ネットワーク８０側（基地局）との間で、音声情報を送受信するための第１の音声チャネル、該第１の音声チャネルを設定するために用いる第１の制御情報を送受信するための第１の制御チャネル、及び、メールを送受信するためのデータチャネルを設定可能である。
【００２６】
すなわち、移動機１０は、ネットワーク８０側（基地局）との間で設定した第１の音声チャネルを通じて、音声通話端末２００との間で音声情報を送受信し、ネットワーク８０側（基地局）との間で設定したデータチャネルを通じて、メール送信端末３００との間でメールを送受信する。
【００２７】
なお、第１の制御情報とは、音声通話端末２００の呼出に用いる情報、移動機１０の正当性を認証するために用いる情報、第１の音声チャネルを通じて送受信される音声情報の変調／復調方法や符号化／復号化方法を特定するための情報などである。
【００２８】
一方、移動機１０は、ネットワーク８０側（音声通話端末２００）から受信した音声情報、及び、ネットワーク８０側（メール送信端末３００）から受信したメールを、近距離通信網を介して接続された外部端末２０に送信する。また、移動機１０は、ネットワーク８０側（音声通話端末２００）に送信する音声情報、及び、ネットワーク８０側（メール送信端末３００）に送信するメールを、近距離通信網を介して接続された外部端末２０から受信する。
【００２９】
具体的には、移動機１０は、移動機１０と外部端末２０との間で、音声情報を送受信するための第２の音声チャネル（例えば、ブルートゥース規格におけるＳＣＯリンクに対応する同期型のチャネル）、第１の音声チャネル及び第２の音声チャネルを設定するために用いる第２の制御情報を送受信するための第２の制御チャネル（例えば、ブルートゥース規格におけるＡＣＬリンクに対応する非同期型のチャネル）を設定可能である。なお、第２の制御チャネルは、第２の制御情報に加え、メールを送受信するために用いられる。
【００３０】
すなわち、移動機１０は、外部端末２０との間で設定した第２の音声チャネルを通じて、ネットワーク８０側（音声通話端末２００）から受信した音声情報を外部端末２０に送信するとともに、ネットワーク８０側（音声通話端末２００）に送信する音声情報を外部端末２０から受信する。また、移動機１０は、外部端末２０との間で設定した第２の制御チャネルを通じて、ネットワーク８０側（メール送信端末３００）から受信したメールを外部端末２０に送信するとともに、ネットワーク８０側（メール送信端末３００）に送信するメールを外部端末２０から受信する。
【００３１】
なお、第２の制御情報とは、後述する発信要求、発信要求受付通知、呼出開始通知、リングバックトーン、音声チャネル設定通知、第２の音声チャネルを通じて送受信される音声情報の変調／復調方法や符号化／復号化方法を特定するための情報などである。
【００３２】
外部端末２０は、マイク等に入力された音声情報を移動機１０に送信するとともに、移動機１０から受信したメールを液晶表示装置等に出力（表示）する。
【００３３】
また、外部端末２０は、移動機１０と同様に、外部端末２０と移動機１０との間で、音声情報を送受信するための第２の音声チャネル（例えば、ブルートゥース規格では、ＳＣＯリンクに対応する同期型のチャネル）、第２の制御情報を送受信するための第２の制御チャネル（例えば、ブルートゥース規格では、ＡＣＬリンクに対応する非同期型のチャネル）を設定可能である。
【００３４】
音声通話端末２００は、ネットワーク８０を介して接続された移動機１０との間で音声情報を送受信するものである。具体的には、音声通話端末２００は、移動機３０や固定電話機４０などである。
【００３５】
メール送信端末３００は、ネットワーク８０を介して接続された移動機１０にメールを送信するものである。具体的には、メール送信端末３００は、パーソナルコンピュータ５０や移動機６０などである。
【００３６】
（本発明の一実施形態に係る移動機の構成）
以下、本発明の一実施形態に係る移動機の構成について、図面を参照しながら説明する。図２は、本発明の一実施形態に係る移動機１０の構成を示すブロック図である。
【００３７】
図２に示すように、移動機１０は、アンテナ１１ａと、アンテナ１１ｂと、変調／復調部１２と、音声符号化／復号化部１３と、データ符号化／復号化部１４と、監視部１５と、制御部１６と、記憶部１７とによって構成されている。
【００３８】
アンテナ１１ａは、音声情報、第１の制御情報及びメールをネットワーク８０側から受信する。具体的には、アンテナ１１ａは、第１の音声チャネルを通じて、音声情報をネットワーク８０側から受信し、第１の制御チャネルを通じて、第１の制御情報をネットワーク８０側から受信し、データチャネルを通じて、メールをネットワーク８０側から受信する。
【００３９】
また、アンテナ１１ａは、音声情報、第１の制御情報及びメールをネットワーク８０側に送信する。具体的には、アンテナ１１ａは、第１の音声チャネルを通じて、音声情報をネットワーク８０側に送信し、第１の制御チャネルを通じて、第１の制御情報をネットワーク８０側に送信し、データチャネルを通じて、メールをネットワーク８０側に送信する。
【００４０】
アンテナ１１ｂは、音声情報、第２の制御情報及びメール等を外部端末２０から受信する。具体的には、アンテナ１１ｂは、第２の音声チャネルを通じて、音声情報を外部端末２０から受信し、第２の制御チャネルを通じて、第２の制御情報及びメール等を外部端末２０から受信する。
【００４１】
また、アンテナ１１ｂは、音声情報、第２の制御情報及びメール情報等を外部端末２０に送信する。具体的には、アンテナ１１ｂは、第２の音声チャネルを通じて、音声情報を外部端末２０に送信し、第２の制御チャネルを通じて、第２の制御情報及びメール情報（メールリストやメールの内容）等を外部端末２０に送信する。
【００４２】
なお、本実施形態において、アンテナ１１ｂは、移動機１０がデータチャネルを通じて受信したメールに係るメール情報（メールリストやメールの内容）を、外部端末２０に送信する送信部を構成する。
【００４３】
変調／復調部１２は、ネットワーク８０側との間で予め取り決められた復調方法に従って、ネットワーク８０側から受信した音声情報、第１の制御情報及びメール等を復調する。また、変調／復調部１２は、ネットワーク８０側との間で予め取り決められた変調方法に従って、ネットワーク８０側に送信する音声情報、第１の制御情報及びメール等を変調する。
【００４４】
変調／復調部１２は、外部端末２０との間で予め取り決められた復調方法に従って、外部端末２０から受信した音声情報、第２の制御情報及びメール等を復調する。また、変調／復調部１２は、外部端末２０との間で予め取り決められた変調方法に従って、外部端末２０に送信する音声情報、第２の制御情報及びメール等を変調する。
【００４５】
音声符号化／復号化部１３は、ネットワーク８０側との間で予め取り決められた復号化方法に従って、ネットワーク８０側から受信した音声情報を復号化する。また、音声符号化／復号化部１３は、ネットワーク８０側との間で予め取り決められた符号化方法に従って、ネットワーク８０側に送信する音声情報を符号化する。
【００４６】
音声符号化／復号化部１３は、外部端末２０との間で予め取り決められた復号化方法に従って、外部端末２０から受信した音声情報を復号化する。また、音声符号化／復号化部１３は、外部端末２０との間で予め取り決められた符号化方法（例えば、ブルートゥース規格では、ＣＶＳＤ(Continuous Variable Slope Delta)、μ−ｌａｗ  ｌｏｇ  ＰＣＭやＡ−ｌａｗ  ｌｏｇ  ＰＣＭ）に従って、外部端末２０に送信する音声情報を符号化する。
【００４７】
データ符号化／復号化部１４は、ネットワーク８０側との間で予め取り決められた復号化方法に従って、ネットワーク８０側から受信した第１の制御情報及びメールを復号化する。また、データ符号化／復号化部１４は、ネットワーク８０側との間で予め取り決められた符号化方法に従って、ネットワーク８０側に送信する第１の制御情報を符号化する。
【００４８】
データ符号化／復号化部１４は、外部端末２０との間で予め取り決められた復号化方法に従って、外部端末２０から受信した第２の制御情報を復号化する。また、データ符号化／復号化部１４は、外部端末２０との間で予め取り決められた符号化方法に従って、外部端末２０に送信する第２の制御情報及びメール情報を符号化する。
【００４９】
監視部１５は、データ符号化／復号化部１４によって復号化（又は、符号化）された第２の制御情報に基づいて、第１の音声チャネル及び第２の音声チャネル（２つの音声チャネル）の設定状況を監視する。
【００５０】
具体的には、監視部１５は、２つの音声チャネルの設定を開始したことを検出し、２つの音声チャネルの設定を開始したことを制御部１６に通知する。また、監視部１５は、２つの音声チャネルの設定が終了したことを検出し、２つの音声チャネルの設定が終了したことを制御部１６に通知する。
【００５１】
例えば、監視部１５は、音声通話端末２００との通話を開始するための発信要求を第２の制御情報として監視することによって、２つの音声チャネルの設定を開始したことを検出する。また、監視部１５は、第１の音声チャネルを通じて音声情報を送受信可能となったことを示す情報（ネットワーク８０側から受信したＡＣＫ等）及び第２の音声チャネルを通じて音声情報を送受信可能となったことを示す情報（外部端末２０から受信したＡＣＫ等）を第２の制御情報として監視することによって、２つの音声チャネルの設定が終了したことを検出する。
【００５２】
なお、監視部１５は、第２の制御チャネルを通じて送受信される第２の制御情報の情報量を監視するように構成されていてもよい。具体的には、監視部１５は、第２の制御情報の情報量が所定の閾値よりも大きい場合には、第２の制御情報のみを、第２の制御チャネルを通じて送受信可能であることを制御部１６に通知する。また、監視部１５は、第２の制御情報の情報量が所定の閾値よりも小さい場合には、第２の制御情報に加えて、メール情報を第２の制御チャネルを通じて送受信可能であることを制御部１６に通知する。
【００５３】
制御部１６は、第２の制御チャネル及び第２の音声チャネルを外部端末２０との間で設定する。
【００５４】
例えば、制御部１６は、移動機１０及び外部端末２０がブルートゥース規格に対応する端末である場合には、周波数のホッピングパターンを外部端末２０と合意することによって、ＡＣＬリンクに対応する非同期型チャネル（第２の制御チャネル）を設定する。さらに、制御部１６は、音声情報の符号化方法、スロット周期等を外部端末２０と合意することによって、ＳＣＯリンクに対応する同期型チャネル（第２の音声チャネル）を設定する。
【００５５】
制御部１６は、データチャネルを通じて受信したメールが外部端末２０に転送するメールであるか否か判定する。具体的には、制御部１６は、受信したメールの宛先や表題が予め設定された転送条件に合致する場合には、受信したメールを外部端末２０に転送するものと判定する。一方、移動機１０は、受信したメールの宛先や表題が予め設定された転送条件に合致しない場合には、受信したメールを外部端末２０に転送しないものと判定する。
【００５６】
また、制御部１６は、２つの音声チャネルの設定を開始してから、該２つの音声チャネルの設定が終了するまでの間（２つの音声チャネルの設定中）に、データチャネルを通じて受信したメールのうち、外部端末２０に転送するものと判定されたメールを記憶部１７に記憶する。
【００５７】
さらに、制御部１６は、２つの音声チャネルの設定が終了したことが監視部１５によって検出されると、記憶部１７に記憶されたメールに係るメール情報（メールリストやメールの内容）を、第２の制御チャネルを通じて外部端末２０に送信するように、アンテナ１１ｂに対して指示する。
【００５８】
なお、本実施形態において、制御部１６は、外部端末２０との間で、音声情報を送受信するための第２の音声チャネルを設定する音声チャネル設定部を構成する。
【００５９】
また、制御部１６は、外部端末２０との間で、第１の音声チャネル及び第２の音声チャネルを設定するために用いる制御情報（第２の制御情報）を送受信するための制御チャネル（第２の制御チャネル）を設定する制御チャネル設定部を構成する。
【００６０】
さらに、制御部１６は、記憶部１７に記憶されているメールを、制御チャネル（第２の制御チャネル）を通じて外部端末２０に送信するか否か判定する判定部を構成する。
【００６１】
記憶部１７は、２つの音声チャネルの設定中に、データチャネルを通じて受信したメールを記憶するものである。
【００６２】
（本発明の一実施形態に係る外部端末の構成）
以下、本発明の一実施形態に係る外部端末２０の構成について、図面を参照しながら説明する。図３は、本発明の一実施形態に係る外部端末２０の構成を示すブロック図である。
【００６３】
図３に示すように、外部端末２０は、アンテナ２１と、変調／復調部２２と、音声符号化／復号化部２３と、データ符号化／復号化部２４と、制御部２５と、入力部２６と、出力部２７とによって構成されている。
【００６４】
アンテナ２１は、音声情報、第２の制御情報及びメール情報等を移動機１０から受信する。具体的には、アンテナ２１は、第２の音声チャネルを通じて、音声情報を移動機１０から受信し、第２の制御チャネルを通じて、第２の制御情報及びメール情報（メールリストやメールの内容）等を移動機１０から受信する。
【００６５】
また、アンテナ２１は、音声情報、第２の制御情報及びメール等を移動機１０に送信する。具体的には、アンテナ２１は、第２の音声チャネルを通じて、音声情報を移動機１０に送信し、第２の制御チャネルを通じて、第２の制御情報及びメール等を移動機１０に送信する。
【００６６】
なお、本実施形態において、アンテナ２１は、メール情報の送信要求（後述するメールリスト要求及びメール要求）を、制御チャネル（第２の制御チャネル）を通じて移動機１０に送信する送信部を構成する。
【００６７】
変調／復調部２２は、移動機１０との間で予め取り決められた復調方法に従って、移動機１０から受信した音声情報、第２の制御情報及びメール情報等を復調する。また、変調／復調部２２は、移動機１０との間で予め取り決められた変調方法に従って、移動機１０に送信する音声情報、第２の制御情報及びメール等を変調する。
【００６８】
音声符号化／復号化部２３は、移動機１０との間で予め取り決められた復号化方法に従って、移動機１０から受信した音声情報を復号化する。また、音声符号化／復号化部２３は、移動機１０との間で予め取り決められた符号化方法に従って、移動機１０に送信する音声情報を符号化する。
【００６９】
データ符号化／復号化部２４は、移動機１０との間で予め取り決められた復号化方法に従って、移動機１０から受信した第２の制御情報及びメール情報等を復号化する。また、データ符号化／復号化部１４は、移動機１０との間で予め取り決められた符号化方法に従って、移動機１０に送信する第２の制御情報やメール等を符号化する。
【００７０】
制御部２５は、第２の制御チャネル及び第２の音声チャネルを移動機１０との間で設定する。
【００７１】
例えば、制御部２５は、移動機１０及び外部端末２０がブルートゥース規格に対応する端末である場合には、周波数のホッピングパターンを移動機１０と合意することによって、ＡＣＬリンクに対応する非同期型チャネル（第２の制御チャネル）を設定する。さらに、制御部２５は、音声情報の符号化方法、スロット周期等を移動機１０と合意することによって、ＳＣＯリンクに対応する同期型チャネル（第２の音声チャネル）を設定する。
【００７２】
なお、本実施形態において、制御部２５は、移動機１０との間で、音声情報を送受信するための第２の音声チャネルを設定する音声チャネル設定部を構成する。
【００７３】
また、制御部２５は、移動機１０との間で、第１の音声チャネル及び第２の音声チャネルを設定するために用いる制御情報（第２の制御情報）を送受信するための制御チャネル（第２の制御チャネル）を設定する制御チャネル設定部を構成する。
【００７４】
入力部２６は、ユーザによってマイク等に入力された音声情報及びユーザによって作成されたメールを音声符号化／復号化部２３に送信する。
【００７５】
出力部２７は、データ符号化／復号化部２４によって復号化された音声情報をスピーカから出力し、データ符号化／復号化部２４によって復号化されたメール情報（メールリストやメールの内容）を表示装置に出力（表示）する。
【００７６】
（本発明の一実施形態に係る通信システムの動作）
以下、本発明の一実施形態に係る通信システムの動作について、図面を参照しながら説明する。図４は、本発明の一実施形態に係る通信システムの動作を示すシーケンス図である。
【００７７】
図４に示すように、ステップ１１において、外部端末２０は、ユーザによって選択された音声通話端末２００との間で通話を開始するための発信要求（音声通話端末２００の電話番号を含む）を、第２の制御チャネルを通じて移動機１０に送信する。
【００７８】
ステップ１２において、移動機１０は、発信要求を受け付けたことを示す発信要求受付通知を、第２の制御チャネルを通じて外部端末２０に送信する。
【００７９】
ステップ１３において、移動機１０は、ユーザによって選択された音声通話端末２００の呼出を行い、ネットワーク８０側は、移動機１０の正当性を認証する。具体的には、移動機１０は、音声通話端末２００の電話番号をネットワーク８０側に送信することによって、音声通話端末２００の呼出を行う。また、ネットワーク８０側は、移動機１０の電話番号（又は、ＩＤ）を移動機１０から受信することによって、移動機１０の正当性を認証する。
【００８０】
ステップ１４において、移動機１０は、ユーザによって選択された音声通話端末２００の呼出を開始したことを示す呼出開始通知を、第２の制御チャネルを通じて移動機１０に送信する。
【００８１】
ステップ１５において、ネットワーク８０側は、リングバックトーンを、移動機１０を介して、外部端末２０に送信する。
【００８２】
ステップ１６において、移動機１０は、データチャネルを通じて、ネットワーク８０側（メール送信端末３００）からメールを受信する。
【００８３】
ステップ１７において、移動機１０は、メールを受信したことを示すメール受信通知を、第２の制御チャネルを通じて外部端末２０に送信する。
【００８４】
ステップ１８において、外部端末２０は、移動機１０が受信したメールのリストを要求するためのメールリスト要求を、第２の制御チャネルを通じて移動機１０に送信する。
【００８５】
ステップ１９において、移動機１０は、受信したメールリスト要求に応じて、メールリストを送信することができないことを示すエラー通知を、第２の制御チャネルを通じて外部端末２０に送信する。
【００８６】
なお、メール受信通知、メールリスト要求及びエラー通知は、メール情報（メールリストやメールの内容）よりも情報量が少ないため、第１の音声チャネル及び第２の音声チャネルの設定中であっても、第２の制御チャネルを通じて送受信することができる。
【００８７】
ステップ２０において、移動機１０は、第１の音声チャネルを、ネットワーク８０側との間で設定する。すなわち、移動機１０は、第１の音声チャネルの設定が終了したことを検出する。
【００８８】
ステップ２１において、移動機１０は、第１の音声チャネルの設定が終了したことを示す第１の音声チャネル設定通知を、第２の制御チャネルを通じて外部端末２０に送信する。
【００８９】
ステップ２２において、移動機１０は、第２の音声チャネルを、外部端末２０との間で設定する。すなわち、移動機１０は、第２の音声チャネルの設定が終了したことを検出する。
【００９０】
例えば、移動機１０は、音声情報の符号化方法、スロット周期等を外部端末２０と合意することによって、ＳＣＯリンクに対応する同期型チャネル（第２の音声チャネル）を設定する。
【００９１】
ステップ２３において、外部端末２０は、ユーザによって選択された音声通話端末２００との間で通話を開始する。なお、移動機１０は、第２の音声チャネルを通じて外部端末２０から受信した音声情報を、第１の音声チャネルを通じてネットワーク８０側に送信する。また、移動機１０は、第１の音声チャネルを通じてネットワーク８０側から受信した音声情報を、第２の音声チャネルを通じて外部端末２０に送信する。
【００９２】
ステップ２４において、移動機１０は、第１の音声チャネル及び第２の音声チャネル（２つの音声チャネル）の設定を開始してから、２つの音声チャネルの設定が終了するまでの間（２つの音声チャネルの設定中）に、データチャネルを通じて受信したメールのリスト（メールリスト）を、第２の制御チャネルを通じて外部端末２０に送信する。
【００９３】
ステップ２５において、外部端末２０は、第２の制御チャネルを通じて受信したメールリストを、表示装置に出力（表示）する。
【００９４】
ステップ２６において、外部端末２０は、表示装置に表示されたメールリストの中から、ユーザによって選択されたメールの送信を要求するメール要求を、第２の制御チャネルを通じて移動機１０に送信する。
【００９５】
ステップ２７において、移動機１０は、受信したメール要求に応じて、記憶部１７に記憶されているメールを、第２の制御チャネルを通じて外部端末２０に送信する。
【００９６】
ステップ２８において、外部端末２０は、第２の制御チャネルを通じて受信したメールを、表示装置に出力（表示）する。
【００９７】
以下、データチャネルを通じてメールを受信した際における移動機１０の動作について、図面を参照しながら説明する。図５は、本発明の一実施形態に係る移動機１０の動作を示すフロー図である。
【００９８】
図５に示すように、ステップ１０１において、移動機１０は、データチャネルを通じてメールを受信する。
【００９９】
ステップ１０２において、移動機１０は、データチャネルを通じて受信したメールが外部端末２０に転送するメールであるか否か判定する。具体的には、移動機１０は、受信したメールの宛先や表題が予め設定された転送条件に合致するものである場合には、受信したメールを外部端末２０に転送するものと判定し、ステップ１０３の処理に移る。また、移動機１０は、受信したメールの宛先や表題が予め設定された転送条件に合致しない場合には、受信したメールを外部端末２０に転送しないものと判定し、メール受信処理を終了する。
【０１００】
ステップ１０３において、移動機１０は、受信したメールを記憶部１７に記憶する。
【０１０１】
ステップ１０４において、移動機１０は、データチャネルを通じてメールを受信したことを示すメール受信通知を、第２の制御チャネルを通じて外部端末２０に送信する。
【０１０２】
ステップ１０５において、移動機１０は、受信したメールのリスト（メールリスト）の送信を要求するメールリスト要求を、第２の制御チャネルを通じて外部端末２０から受信する。
【０１０３】
ステップ１０６において、移動機１０は、第１の音声チャネル及び第２の音声チャネル（２つの音声チャネル）を設定中であるか否か判定する。
【０１０４】
具体的には、移動機１０は、第２の制御チャネルを通じて送受信される第２の制御情報に基づいて、２つの音声チャネルの設定を開始したこと、及び、２つの音声チャネルの設定が終了したことを検出する。これにより、移動機１０は、２つの音声チャネルを設定中であるか否か判定する。
【０１０５】
なお、移動機１０は、２つの音声チャネルを設定中である場合には、ステップ１０７の処理に移り、２つの音声チャネルを設定中でない場合には、ステップ１０９の処理に移る。
【０１０６】
ステップ１０７において、移動機１０は、メールリスト要求に応じて、メールリストを送信することができないことを示すエラー通知を、第２の制御チャネルを通じて外部端末２０に送信する。
【０１０７】
ステップ１０８において、移動機１０は、２つの音声チャネルの設定が終了したことを検出するまで、２つの音声チャネルの設定状況を監視する。また、移動機１０は、２つの音声チャネルの設定が終了したことを検出すると、ステップ１０９の処理に移る。
【０１０８】
ステップ１０９において、移動機１０は、記憶部１７に記憶されているメールのリスト（メールリスト）を生成する。なお、メールリストには、メールの宛先や表題などが含まれているものとする。
【０１０９】
ステップ１１０において、移動機１０は、生成したメールリストを、第２の制御チャネルを通じて外部端末２０に送信する。
【０１１０】
ステップ１１１において、移動機１０は、メールリストを参照したユーザによって選択されたメールの送信を要求するメール要求を、第２の制御チャネルを通じて外部端末２０から受信する。
【０１１１】
ステップ１１２において、移動機１０は、メール要求に応じて、記憶部１７に記憶されているメール（内容）を、第２の制御チャネルを通じて外部端末２０に送信する。
【０１１２】
（本発明の一実施形態に係る通信システムの作用及び効果）
本実施形態に係る通信システムによれば、移動機１０は、第１の音声チャネル及び第２の音声チャネル（２つの音声チャネル）の設定状況を監視することにより、メールリストを移動機１０に対してユーザが要求しなくても、該メールリストを外部端末２０に自動的に送信することができる。
【０１１３】
（変更例１）
以下、上述した実施形態の変更例について、図面を参照しながら説明する。なお、以下においては、上述した実施形態との相違点を主として説明する。
【０１１４】
具体的には、上述した実施形態においては、第１の音声チャネル及び第２の音声チャネル（２つの音声チャネル）の設定状況は、移動機１０によって監視されていたが、本変更例においては、外部端末２０によって監視されているものとする。すなわち、外部端末２０の制御部２５は、制御チャネル（第２の制御チャネル）を通じて送受信される制御情報（第２の制御情報）に基づいて、第１の音声チャネル及び第２の音声チャネルの設定状況を監視する。
【０１１５】
図６は、本発明の一変更例に係る通信システムの動作を示すシーケンス図である。図６に示すように、ステップ３１において、外部端末２０は、ユーザによって選択された音声通話端末２００との間で通話を開始するための発信要求を、第２の制御チャネルを通じて移動機１０に送信する。
【０１１６】
ステップ３２において、移動機１０は、発信要求を受け付けたことを示す発信要求受付通知を、第２の制御チャネルを通じて外部端末２０に送信する。
【０１１７】
ステップ３３において、移動機１０は、ユーザによって選択された音声通話端末２００の呼出を行い、ネットワーク８０側は、移動機１０の正当性を認証する。
【０１１８】
ステップ３４において、移動機１０は、ユーザによって選択された音声通話端末２００の呼出を開始したことを示す呼出開始通知を、第２の制御チャネルを通じて移動機１０に送信する。
【０１１９】
ステップ３５において、ネットワーク８０側は、リングバックトーンを、移動機１０を介して外部端末２０に送信する。
【０１２０】
ステップ３６において、移動機１０は、データチャネルを通じてネットワーク８０側（メール送信端末３００）からメールを受信する。
【０１２１】
ステップ３７において、移動機１０は、メールを受信したことを示すメール受信通知を、第２の制御チャネルを通じて外部端末２０に送信する。なお、外部端末２０は、第１の音声チャネル及び第２の音声チャネルの設定中であるため、メールリスト要求を移動機１０に送信しない。
【０１２２】
ステップ３８において、移動機１０は、第１の音声チャネルをネットワーク８０側との間で設定する。
【０１２３】
ステップ３９において、移動機１０は、第１の音声チャネルの設定が終了したことを示す第１の音声チャネル設定通知を、第２の制御チャネルを通じて外部端末２０に送信する。すなわち、外部端末２０は、第１の音声チャネルの設定が終了したことを検出する。
【０１２４】
ステップ４０において、移動機１０は、第２の音声チャネルを外部端末２０との間で設定する。すなわち、外部端末２０は、第２の音声チャネルの設定が終了したことを検出する。
【０１２５】
ステップ４１において、外部端末２０は、ユーザによって選択された音声通話端末２００との間で通話を開始する。なお、移動機１０は、第２の音声チャネルを通じて外部端末２０から受信した音声情報を、第１の音声チャネルを通じてネットワーク８０側に送信する。また、移動機１０は、第１の音声チャネルを通じてネットワーク８０側から受信した音声情報を、第２の音声チャネルを通じて外部端末２０に送信する。
【０１２６】
ステップ４２において、外部端末２０は、移動機１０が受信したメールのリスト（メールリスト）を要求するためのメールリスト要求を、第２の制御チャネルを通じて移動機１０に送信する。
【０１２７】
ステップ４３において、移動機１０は、第１の音声チャネル及び第２の音声チャネル（２つの音声チャネル）の設定を開始してから、２つの音声チャネルの設定が終了するまでの間（２つの音声チャネルの設定中）に、データチャネルを通じて受信したメールのリスト（メールリスト）を、第２の制御チャネルを通じて外部端末２０に送信する。
【０１２８】
ステップ４４において、外部端末２０は、第２の制御チャネルを通じて受信したメールリストを、表示装置に出力（表示）する。
【０１２９】
ステップ４５において、外部端末２０は、表示装置に表示されたメールリストの中から、ユーザによって選択されたメールの送信を要求するメール要求を、第２の制御チャネルを通じて移動機１０に送信する。
【０１３０】
ステップ４６において、移動機１０は、受信したメール要求に応じて、移動機１０に記憶されたメールを、第２の制御チャネルを通じて外部端末２０に送信する。
【０１３１】
ステップ４７において、外部端末２０は、第２の制御チャネルを通じて受信したメールを、表示装置に出力（表示）する。
【０１３２】
以下、第２の制御チャネルを通じてメール受信通知を受信した際における外部端末２０の動作について、図面を参照しながら説明する。図７は、本発明の一変更例に係る外部端末２０の動作を示すフロー図である。
【０１３３】
図７に示すように、ステップ２０１において、外部端末２０は、移動機１０がデータチャネルを通じてメールを受信したことを示すメール受信通知を、第２の制御チャネルを通じて移動機１０から受信する。
【０１３４】
ステップ２０２において、外部端末２０は、第１の音声チャネル及び第２の音声チャネル（２つの音声チャネル）を設定中であるか否か判定する。
【０１３５】
具体的には、外部端末２０は、第２の制御チャネルを通じて送受信される第２の制御情報に基づいて、２つの音声チャネルの設定を開始したこと、及び、２つの音声チャネルの設定が終了したことを検出する。これにより、外部端末２０は、２つの音声チャネルを設定中であるか否か判定する。
【０１３６】
また、外部端末２０は、２つの音声チャネルを設定中である場合には、ステップ２０３の処理に移り、２つの音声チャネルを設定中でない場合には、ステップ２０４の処理に移る。
【０１３７】
ステップ２０３において、外部端末２０は、２つの音声チャネルの設定が終了したことを検出するまで、２つの音声チャネルの設定状況を監視する。また、外部端末２０は、２つの音声チャネルの設定が終了したことを検出すると、ステップ２０４の処理に移る。
【０１３８】
ステップ２０４において、外部端末２０は、移動機１０に記憶されているメールのリスト（メールリスト）の送信を要求するメールリスト要求を、第２の制御チャネルを通じて移動機１０に送信する。
【０１３９】
ステップ２０５において、外部端末２０は、メールリスト要求に応じて送信されたメールリストを、第２の制御チャネルを通じて移動機１０から受信する。
【０１４０】
ステップ２０６において、外部端末２０は、受信したメールリストを出力（表示）する。
【０１４１】
ステップ２０７において、外部端末２０は、表示されたメールリストの中から、ユーザによって選択されたメールの送信を要求するメール要求を、第２の制御チャネルを通じて移動機１０に送信する。
【０１４２】
ステップ２０８において、外部端末２０は、メール要求に応じて送信されたメールを、第２の制御チャネルを通じて移動機１０から受信する。
【０１４３】
ステップ２０９において、外部端末２０は、受信したメールを出力（表示）する。
【０１４４】
本変更例に係る通信システムによれば、外部端末２０は、第１の音声チャネル及び第２の音声チャネル（２つの音声チャネル）の設定が終了したことを検出した際に、移動機１０が受信したメールのリスト（メールリスト）の送信要求を自動的に移動機１０に送信することにより、外部端末２０は、ユーザがメールリストを移動機１０に対して改めて要求しなくても、該メールリストを移動機１０から自動的に受信することができる。
【０１４５】
（変更例２）
以下、上述した実施形態の変更例について、図面を参照しながら説明する。なお、以下においては、上述した実施形態との相違点を主として説明する。
【０１４６】
具体的には、上述した実施形態においては、第１の音声チャネル及び第２の音声チャネルの設定中に移動機１０がメールを受信するが、本変更例においては、第１の音声チャネル及び第２の音声チャネルの設定中に外部端末２０がメールを送信しようとする。
【０１４７】
例えば、外部端末２０がカーナビゲーションである場合を考えると、カーナビゲーションが車両の位置情報や車両の速度情報等のメールを定期的にネットワーク８０側に送信する場合がある。このような場合を想定すると、外部端末２０は、第１の音声チャネル及び第２の音声チャネルの設定中にメールをネットワーク８０側に送信しようとする可能性がある。
【０１４８】
図８は、本発明の一変更例に係る通信システムの動作を示すシーケンス図である。なお、ステップ１１〜ステップ１５、ステップ２０〜ステップ２３の処理は、上述した実施形態（図４を参照）と同様であるため、その説明を省略する。
【０１４９】
ステップ１６ａにおいて、外部端末２０は、移動機１０を介してネットワーク８０側に送信するメールを生成する。
【０１５０】
ステップ１７ａにおいて、外部端末２０は、生成したメールを送信するために第２の制御チャネルを割り当てることが可能であるか否か確認するためのメール送信確認を、第２の制御チャネルを通じて移動機１０に送信する。
【０１５１】
ステップ１８ａにおいて、移動機１０は、第１の音声チャネル及び第２の音声チャネルの設定中であるため、メールを送信するために第２の制御チャネルを割り当てることができないことを示すエラー通知を、第２の制御チャネルを通じて外部端末２０に送信する。
【０１５２】
ステップ２４ａにおいて、移動機１０は、第１の音声チャネル及び第２の音声チャネルの設定が終了したことを検出し、メールを送信するために第２の制御チャネルを割り当てることが可能であることを確認する。また、移動機１０は、メールの送信を要求するためのメール送信要求を、第２の制御チャネルを通じて外部端末２０に送信する。
【０１５３】
ステップ２５ａにおいて、外部端末２０は、ステップ１６ａで生成したメールを、第２の制御チャネルを通じて移動機１０に送信し、ステップ２６ａにおいて、移動機１０は、受信したメールを、データチャネルを通じてネットワーク８０側に送信する。
【０１５４】
本変更例に係る通信システムによれば、移動機１０が、第１の音声チャネル及び第２の音声チャネル（２つの音声チャネル）の設定が終了したことを検出した際に、メール送信要求を外部端末２０に送信することにより、外部端末２０は、ユーザが改めて要求しなくても、２つの音声チャネルの設定中に生成してメールを移動機１０に自動的に送信することができる。
【０１５５】
（変更例３）
以下、上述した実施形態の変更例について、図面を参照しながら説明する。なお、以下においては、上述した実施形態との相違点を主として説明する。
【０１５６】
具体的には、上述した実施形態においては、第１の音声チャネル及び第２の音声チャネルの設定中に移動機１０がメールを受信するが、本変更例においては、第１の音声チャネル及び第２の音声チャネルの設定中に外部端末２０がメールを送信しようとする。
【０１５７】
また、上述した実施形態においては、第１の音声チャネル及び第２の音声チャネル（２つの音声チャネル）の設定状況は、移動機１０によって監視されていたが、本変更例においては、外部端末２０によって監視されているものとする。
【０１５８】
図９は、本発明の一変更例に係る通信システムの動作を示すシーケンス図である。なお、ステップ３１〜ステップ３５、ステップ３８〜ステップ４１の処理は、上述した実施形態（図６を参照）と同様であるため、その説明を省略する。
【０１５９】
ステップ３６ａにおいて、外部端末２０は、移動機１０を介してネットワーク８０側に送信するメールを生成する。また、外部端末２０は、第１の音声チャネル及び第２の音声チャネルの設定中であるため、メールを送信するために第２の制御チャネルを割り当てることができないことを確認する。
【０１６０】
ステップ４２ａにおいて、外部端末２０は、第１の音声チャネル及び第２の音声チャネルの設定が終了したことを検出し、ステップ３６ａで生成したメールを、第２の制御チャネルを通じて移動機１０に送信する。
【０１６１】
ステップ４３ａにおいて、移動機１０は、外部端末２０から受信したメールを、データチャネルを通じてネットワーク８０側に送信する。
【０１６２】
本変更例に係る通信システムによれば、外部端末２０は、第１の音声チャネル及び第２の音声チャネル（２つの音声チャネル）の設定が終了したことを検出することにより、ユーザが改めて要求しなくても、２つの音声チャネルの設定中に生成してメールを移動機１０に自動的に送信することができる。
【０１６３】
なお、本発明においては、移動機１０とネットワーク８０側との間のチャネル（第１の音声チャネル、第１の制御チャネル及びデータチャネル）、及び、移動機１０と外部端末２０との間のチャネル（第２の音声チャネル及び第２の制御チャネル）は、本実施形態（又は、変更例）に係る通信システムにおける所定の通信プロトコルに従って設定されるものとする。
【０１６４】
また、本発明は、上述した実施形態（又は、変更例）に限定されるものではなく、移動機１０とネットワーク８０側との間で、第１の音声チャネル、第１の制御チャネル及びデータチャネルを設定可能であり、移動機１０と外部端末２０との間で、第２の音声チャネル及び第２の制御チャネルを設定可能である任意の通信プロトコルを用いた場合であっても、適用可能である。
【図面の簡単な説明】
【０１６５】
【図１】本発明の一実施形態に係る通信システムの構成を示す図である。
【図２】本発明の一実施形態に係る移動機１０の構成を示すブロック図である。
【図３】本発明の一実施形態に係る外部端末２０の構成を示すブロック図である。
【図４】本発明の一実施形態に係る通信システムの動作を示すシーケンス図である。
【図５】本発明の一実施形態に係る移動機１０の動作を示すフロー図である。
【図６】本発明の一変更例に係る通信システムの動作を示すシーケンス図である。
【図７】本発明の一変更例に係る外部端末２０の動作を示すフロー図である。
【図８】本発明の一変更例に係る通信システムの動作を示すシーケンス図である。
【図９】本発明の一変更例に係る通信システムの動作を示すシーケンス図である。
【符号の説明】
【０１６６】
１０・・・移動機、１１ａ，１１ｂ・・・アンテナ、１２・・・変調／復調部、１３・・・音声符号化／復号化部、１４・・・データ符号化／復号化部、１５・・・監視部、１６・・・制御部、１７・・・記憶部、２０・・・外部端末、２１・・・アンテナ、２２・・・変調／復調部、２３・・・音声符号化／復号化部、２４・・・データ符号化／復号化部、２５・・・制御部、２６・・・入力部、２７・・・出力部、３０・・・移動機、４０・・・固定電話機、５０・・・パーソナルコンピュータ、６０・・・移動機、８０・・・ネットワーク、２００・・・音声通話端末、３００・・・メール送信端末
【図１】
2006295639.tif 000003
【図２】
2006295639.tif 000004
【図３】
2006295639.tif 000005
【図４】
2006295639.tif 000006
【図５】
2006295639.tif 000007
【図６】
2006295639.tif 000008
【図７】
2006295639.tif 000009
【図８】
2006295639.tif 000010
【図９】
2006295639.tif 000011